(57)【要約】【課題】グロメットをケーブルに対してより強固に固定できるワイヤハーネスを提供する。【解決手段】ワイヤハーネス１０は、ケーブル２０と、グロメット３０とを有する。グロメット３０は、ケーブル２０を挿通するための貫通孔３５を有し、貫通孔３５の内周面に複数の突起３６が設けられる。【選択図】図２
2018011399.tif 000002
【特許請求の範囲】
【請求項１】
ケーブルを挿通可能な貫通孔を有し、該貫通孔に前記ケーブルを挿通した状態で接着固定されたグロメットであって、
前記貫通孔の内周面に複数の凸部及び複数の凹部のいずれか一方が設けられることを特徴とするグロメット。
【請求項２】
請求項１に記載のグロメットにおいて、
前記貫通孔は、前記ケーブルを締まり嵌め状態とするべく設けられた縮径部を有し、
前記複数の凸部は、前記縮径部に設けられ、前記ケーブルよりも柔軟性を有する部材で構成されることを特徴とするグロメット。
【請求項３】
請求項１又は２に記載のグロメットにおいて、
前記複数の凸部は、前記貫通孔の内周面において螺旋状をなす態様で配置されることを特徴とするグロメット。
【請求項４】
請求項１に記載のグロメットにおいて、
前記複数の凹部は、マイクロディンプルであることを特徴とするグロメット。
【請求項５】
請求項１〜４のいずれか一項に記載のグロメットと、前記グロメットの貫通孔に挿通されるケーブルとを備えたことを特徴とするワイヤハーネス。
【発明の詳細な説明】
【技術分野】
【０００１】
本発明は、ケーブルに装着されるグロメット及びワイヤハーネスに関する。
【背景技術】
【０００２】
従来、例えば車両に用いられるワイヤハーネスでは、ケーブルに与える衝撃を緩和するために、ケーブルにグロメットが装着されるものが知られている（例えば特許文献１参照）。
【０００３】
このようなワイヤハーネスでは、ケーブルをグロメットの貫通孔に挿通し、貫通孔の一端から貫通孔の内周面とケーブルの外周面との間に接着剤（例えばシアノアクリレート接着剤）を注入し、グロメットとケーブルとを固定している。
【先行技術文献】
【特許文献】
【０００４】
【特許文献１】特開平７−２４５０３０号公報
【発明の概要】
【発明が解決しようとする課題】
【０００５】
ところで、上記のようなワイヤハーネスでは、グロメットの貫通孔の内周面とケーブルの外周面との間に接着剤を注入し、グロメットとケーブルとを固定しているが、より強固にグロメットとケーブルとを固定することが望まれている。
【０００６】
本発明は、上記課題を解決するためになされたものであって、その目的は、ケーブルに対してより強固に固定できるグロメット及びワイヤハーネスを提供することにある。
【課題を解決するための手段】
【０００７】
上記課題を解決するグロメットは、ケーブルを挿通可能な貫通孔を有し、該貫通孔に前記ケーブルを挿通した状態で接着固定されたグロメットであって、前記貫通孔の内周面に複数の凸部及び複数の凹部のいずれか一方が設けられる。
【０００８】
この構成によれば、貫通孔の内周面に複数の凸部及び複数の凹部のいずれか一方が設けられるため、ケーブルを挿通して接着剤を注入した場合に、接着剤と貫通孔の凸部又は凹部とが接触する際の接触面積を増やすことができ、グロメットをケーブルに対してより強固に固定できる。
【０００９】
上記グロメットにおいて、前記貫通孔は、前記ケーブルを締まり嵌め状態とするべく設けられた縮径部を有し、前記複数の凸部は、前記縮径部に設けられ、前記ケーブルよりも柔軟性を有する部材で構成されることが好ましい。
【００１０】
この構成によれば、縮径部に凸部を設けることで、例えばケーブルの寸法公差の関係で縮径部の直径よりもケーブルの直径が小さい場合であっても、凸部がケーブルと当接することとなり、凸部によってケーブルを締まり嵌め状態とすることができる。また、ケーブルが縮径部に締まり嵌め状態となるような寸法であった場合であっても凸部はケーブルよりも柔軟性を有する部材であるため、凸部が傾倒することとなる。このため、ケーブルを縮径部（貫通孔）に挿通する際に凸部によってケーブルの挿通を阻害することが抑えられる。
【００１１】
上記グロメットにおいて、前記複数の凸部は、前記貫通孔の内周面において螺旋状をなす態様で配置されることが好ましい。
この構成によれば、凸部が貫通孔の内周面において螺旋状をなす態様で配置されるため、ケーブルを貫通孔に徐々に挿通する際において、ケーブルに対して同時に当接する凸部の個数を抑えることができる。このため、ケーブルを貫通孔に挿通する際に凸部によってケーブルの挿通を阻害することが抑えられる。
【００１２】
上記グロメットにおいて、前記複数の凹部は、マイクロディンプルであることが好ましい。
この構成によれば、複数の凹部は、マイクロディンプルであるため、接着剤と接触する際の接触面積を増やすことができ、グロメットをケーブルに対してより強固に固定できる。
【００１３】
また上記課題を解決するワイヤハーネスは、上記いずれかに記載のグロメットと、前記グロメットの貫通孔に挿通されるケーブルとを備える。
この構成によれば、グロメットをケーブルに対してより強固に固定することができるワイヤハーネスを提供することができる。
【発明の効果】
【００１４】
本発明のグロメット及びワイヤハーネスによれば、ケーブルに対してより強固に固定できる。
【図面の簡単な説明】
【００１５】
【図１】一実施形態におけるワイヤハーネスのグロメット及びケーブルの間に接着剤を注入している状態を示す平面図。
【図２】（ａ）は同形態におけるワイヤハーネスであってケーブルが縮径部に設けられる突起によって締まり嵌め状態となった場合の断面図、（ｂ）は（ａ）の一部を拡大して示す拡大断面図。
【図３】同形態におけるワイヤハーネスであってケーブルが縮径部よって締まり嵌め状態となった場合の断面図。
【図４】同形態における縮径部に設けられる突起の寸法について説明するための説明図。
【図５】変形例における凹部について説明するための説明図。
【発明を実施するための形態】
【００１６】
以下、ワイヤハーネスの一実施形態について説明する。なお、添付図面は、便宜上、特徴を分かりやすくするために特徴となる部分を拡大して示している場合があり、各構成要素の寸法比率などが実際と同じであるとは限らない。
【００１７】
図１に示すように、ワイヤハーネス１０は、ケーブル２０と、グロメット３０とを有する。
ケーブル２０は、例えば１又は複数の被覆電線２１と、各被覆電線２１を纏めて被覆する絶縁材２２とを有する。被覆電線２１は、径が小さい銅線の束である芯線を例えばポリ塩化ビニル（ＰＶＣ）などによりなる絶縁体で被覆して構成される。なお、芯線は、径が大きい１本の銅線で構成してもよい。また芯線は、アルミニウム線であってもよい。
【００１８】
図１及び図２（ａ）（ｂ）に示すように、グロメット３０は、例えばシアノアクリレート接着剤等の接着剤４０によってケーブル２０と固定されるものであり、一方向に長い略円筒状をなす。グロメット３０は、長手方向Ｘの一方側（図１及び図２において左側）から順に外形形状の異なる小径部３１、テーパ部３２及び大径部３３を有する。大径部３３の長手方向Ｘ両側にはフランジ部３４が設けられる。
【００１９】
図２（ａ）（ｂ）に示すように、グロメット３０は、小径部３１、テーパ部３２及び大径部３３内部を連通してケーブル２０を挿通可能な貫通孔３５を有する。
貫通孔３５には、その長手方向Ｘにおける途中位置であって前記大径部３３の位置に相当する部位に、貫通孔３５の他の部位と比べて縮径された縮径部３５ａが設けられる。縮径部３５ａには例えばケーブル２０よりも柔軟性を有するウレタン樹脂からなる複数の突起３６が設けられる。複数の突起３６は、貫通孔３５の内周面において螺旋状となるように各突起３６の間隔が略等しくなるように設けられる。
【００２０】
縮径部３５ａはその直径（内径）Ｄ１がケーブル２０の直径（外径）Ｄ２よりも僅かに小さく設定され、縮径部３５ａ以外の貫通孔３５の直径（内径）Ｄ３がケーブル２０の直径よりも僅かに大きく設定されている。一例として、ケーブル２０の直径Ｄ２を１０ｍｍとした場合に、縮径部３５ａの直径Ｄ１が９．７〜９．８ｍｍ程度に設定され、縮径部３５ａ以外の貫通孔３５の直径Ｄ３が１０．２〜１０．３ｍｍ程度に設定されている。すなわち、縮径部３５ａにおいてはケーブル２０が所謂締まり嵌めの状態となり、縮径部３５ａ以外の箇所においてはケーブル２０が所謂隙間嵌めの状態となっている。
【００２１】
また、図４に示すように、突起３６は、その延出方向長さＬが０．１〜０．２ｍｍ、直径φが０．０５〜０．１ｍｍ、各突起３６の間隔Ｓが０．２〜０．３ｍｍとなるように設定されている。
【００２２】
ところで、ケーブル２０には寸法公差があるため、例えば寸法公差を±０．５ｍｍとした場合には、ケーブル２０の直径Ｄ２（＝最も小さい場合で９．５ｍｍ）が縮径部３５ａの直径Ｄ１（９．７〜９．８ｍｍ）よりも小さくなることが考えられる。そこで、各突起３６は、その延出方向長さが０．１〜０．２ｍｍとすることで、図２（ａ）に示すように、例えばケーブル２０が寸法公差の範囲であっても突起３６がケーブル２０と当接して締まり嵌めの状態を維持することができる。
【００２３】
また、突起３６は、柔軟性を有するウレタン樹脂で構成されるため、図３に示すように縮径部３５ａによってケーブル２０が締まり嵌めの状態となった場合には、突起３６が傾倒又は潰れるようになっている。
【００２４】
次に、ワイヤハーネス１０の製造方法について説明する。
先ず、ケーブル２０をグロメット３０の貫通孔３５に挿入する。
このとき、前述したようにケーブル２０の直径Ｄ２が設計時の寸法通り又は公差の範囲内で設計時の寸法よりも大きい場合には、図３に示すように、ケーブル２０の直径Ｄ２が縮径部３５ａの直径Ｄ１よりも大きいため、縮径部３５ａによってケーブル２０を締まり嵌め状態とされる。このとき突起３６は傾倒又は潰れるようになっている。
【００２５】
また、ケーブル２０の直径Ｄ２が公差の範囲内で縮径部３５ａの直径Ｄ１よりも小さい場合、図２（ａ）に示すように縮径部３５ａの突起３６がケーブル２０と当接する。このとき、縮径部３５ａの突起３６は、ケーブル２０の長手方向Ｘの一方側であって挿通方向下流側（図２において左側）に傾倒するようになっている。
【００２６】
また、本実施形態のグロメット３０では、前述したように突起３６は貫通孔３５の内周面において螺旋状をなすように配置されるため、貫通孔３５にケーブル２０を挿通する際に、ケーブル２０の先端と同時に当接する突起３６の個数が抑えられることとなり、ケーブル２０の挿通を阻害することが抑えられる。
【００２７】
次いで、貫通孔３５の大径部３３側の端部から注射器４１（図１参照）により接着剤４０（例えばシアノアクリレート接着剤）を充填してケーブル２０とグロメット３０との隙間を埋めつつ接着固定する。このとき、前述したように、ケーブル２０の直径Ｄ２が公差の範囲内で縮径部３５ａの直径Ｄ１よりも小さい場合には、縮径部３５ａとケーブル２０との間に接着剤４０が注入されることとなる。そして、接着剤４０は、突起３６が傾倒した状態で固定されることとなるため、突起３６が所謂楔の役割を果たすため、ケーブル２０とグロメット３０とがより強固に固定されるようになる。
【００２８】
次に、本実施形態の効果を記載する。
（１）貫通孔３５の内周面に複数の突起３６が設けられるため、ケーブル２０を挿通して接着剤４０を注入した場合に、接着剤４０と貫通孔３５の突起３６とが接触する際の接触面積を増やすことができ、グロメット３０をケーブル２０に対してより強固に固定できる。
【００２９】
（２）縮径部３５ａに突起３６を設けることで、例えばケーブル２０の寸法公差の関係で縮径部３５ａの直径よりもケーブル２０の直径が小さい場合であっても、突起３６がケーブル２０と当接することとなり、突起３６によってケーブル２０を締まり嵌め状態とすることができる。また、ケーブル２０が縮径部３５ａに締まり嵌め状態となるような寸法であった場合であっても突起３６はケーブル２０よりも柔軟性を有する部材であるため、突起３６が傾倒することとなる。このため、ケーブル２０を縮径部３５ａ（貫通孔３５）に挿通する際に突起３６によってケーブル２０の挿通を阻害することが抑えられる。
【００３０】
（３）突起３６が貫通孔３５の内周面において螺旋状をなす態様で配置されるため、ケーブル２０を貫通孔３５に徐々に挿通する際において、ケーブル２０に対して同時に当接する突起３６の個数を抑えることができる。このため、ケーブル２０を貫通孔３５に挿通する際に突起３６によってケーブル２０の挿通を阻害することが抑えられる。
【００３１】
なお、上記実施形態は、以下のように変更してもよい。
・上記実施形態では、突起３６が螺旋状をなす態様で配置したが、これに限らない。例えば円環状をなす態様で突起３６を略等間隔に配置してもよい。
【００３２】
・上記実施形態では、貫通孔３５（縮径部３５ａ）に凸部としての突起３６を設ける構成としたが、これに限らない。
例えば、図５に示すように、貫通孔３５に複数の凹部５１を設ける構成を採用してもよい。なお、この場合、凹部５１の設ける位置は縮径部３５ａに限らず、接着剤４０が注入される箇所に凹部５１を設ける構成としてもよい。この凹部５１はマイクロディンプルであってもよい。このように凹部５１を設けることで、接着剤と接触する際の接触面積を増やすことができ、グロメット３０をケーブル２０に対してより強固に固定できる。
【００３３】
・上記実施形態並びに各変形例は適宜組み合わせてもよい。
【符号の説明】
【００３４】
１０…ワイヤハーネス、２０…ケーブル、３０…グロメット、３５…貫通孔、３５ａ…縮径部、３６…突起（凸部）、５１…凹部。
【図１】
2018011399.tif 000003
【図２】
2018011399.tif 000004
【図３】
2018011399.tif 000005
【図４】
2018011399.tif 000006
【図５】
2018011399.tif 000007